(57)【要約】【課題】屋内へ侵入する虫の数を減らすことが可能な誘虫装置を提供する。【解決手段】この誘虫装置１Ａは、前壁３１に出入口３１ａを有する建物３０の該前壁３１から前方に所定間隔を隔てた位置に設置されている。また、誘虫装置１Ａは、地面Ｇ近傍に配設され、誘虫効果のある光を放射する直管ランプ３およびルーバ４からなる発光部と、この発光部の近傍に設けられ、該発光部に誘引されて発光部の周囲を飛翔する虫を捕獲する粘着シート５とを備えている。そして、発光部から放射された光が、正面視で出入口３１ａを覆う扇形状に、かつ、側面視で略真上に進行することを特徴とする。【選択図】図４
2008167667.tif 000002
【特許請求の範囲】
【請求項１】
正面の側壁に開口部を有する建物の前記側壁から手前方向に所定間隔を隔てた位置に設置される誘虫装置であって、
地面近傍に配設され、誘虫効果のある光を放射する発光部を備え、
この発光部から放射された光が、正面視で前記開口部を覆う形状に、かつ、側面視で略真上に進行することを特徴とする誘虫装置。
【請求項２】
前記発光部の近傍に、該発光部に誘引されて発光部の周囲を飛翔する虫を捕獲する捕獲部を設けたことを特徴とする請求項１に記載の誘虫装置。
【請求項３】
前記発光部は、誘虫効果のある光を放射する光源と、この光源から放射される光の進路上に配され、前記光の進行方向が上向きとなるように調整するルーバとにより構成されていることを特徴とする請求項１または２に記載の誘虫装置。
【請求項４】
前記発光部から放射された光が、側面視で略真上に進行するのに加え、前記建物の側壁に対して非照射となる角度で前記建物側の上方に進行することを特徴とする請求項１〜３のいずれか一項に記載の誘虫装置。
【請求項５】
請求項１〜４のいずれか一項に記載の第１の誘虫装置に加えて、開口部付近に設置される第２の誘虫装置を備え、
前記第２の誘虫装置が、地面近傍に配設され、誘虫効果のある光を放射する発光部を備え、
この発光部から放射された光が、正面視で前記開口部を覆う形状に、かつ、側面視で略真上に進行することを特徴とする誘虫システム。
【発明の詳細な説明】
【技術分野】
【０００１】
本発明は、誘虫効果のある光を放射して虫を誘引し捕獲する誘虫装置および誘虫システムに関する。
【背景技術】
【０００２】
従来、誘虫効果のある光を放射して虫を誘引し捕獲する誘虫装置が知られている。例えば、特許文献１には、誘虫照明を配して当該照明に虫を係留する構成が開示されている。そして、このような誘虫装置は、光を制御して虫を屋内へ侵入しにくくする技術に応用されている。
【特許文献１】特開２００３−９７４４号公報
【発明の開示】
【発明が解決しようとする課題】
【０００３】
しかしながら、上記のような誘虫装置では、周囲へ強い誘引光を放射しているため、虫を遠方から誘引してしまうという不都合がある。これにより、建物周囲の虫の密度が増大するため、虫が屋内に侵入する確率が高まるおそれがあった。
【０００４】
この発明は、上記のような課題を解決するためになされたものであり、屋内へ侵入する虫の数を減らすことが可能な誘虫装置および誘虫システムを提供することを目的とする。
【課題を解決するための手段】
【０００５】
上記目的を達成するために、この発明の請求項１に記載の誘虫装置は、正面の側壁に開口部を有する建物の前記側壁から手前方向に所定間隔を隔てた位置に設置される誘虫装置であって、地面近傍に配設され、誘虫効果のある光を放射する発光部を備え、この発光部から放射された光が、正面視で前記開口部を覆う形状に、かつ、側面視で略真上に進行することを特徴とするものである。
【０００６】
請求項２の発明は、請求項１に記載の誘虫装置において、前記発光部の近傍に、該発光部に誘引されて発光部の周囲を飛翔する虫を捕獲する捕獲部を設けたことを特徴とするものである。
【０００７】
請求項３の発明は、請求項１または２に記載の誘虫装置において、前記発光部は、誘虫効果のある光を放射する光源と、この光源から放射される光の進路上に配され、前記光の進行方向が上向きとなるように調整するルーバとにより構成されていることを特徴とするものである。
【０００８】
請求項４の発明は、請求項１〜３のいずれか一項に記載の誘虫装置において、前記発光部から放射された光が、側面視で略真上に進行するのに加え、前記建物の側壁に対して非照射となる角度で前記建物側の上方に進行することを特徴とするものである。
【０００９】
また、この発明の請求項５に記載の誘虫システムは、請求項１〜４のいずれか一項に記載の第１の誘虫装置に加えて、開口部付近に設置される第２の誘虫装置を備え、前記第２の誘虫装置が、地面近傍に配設され、誘虫効果のある光を放射する発光部を備え、この発光部から放射された光が、正面視で前記開口部を覆う形状に、かつ、側面視で略真上に進行することを特徴とするものである。
【発明の効果】
【００１０】
請求項１の発明によれば、開口部の手前に設けた発光部から放射される光が、正面視で開口部を覆う形状に進行するように構成したので、遠方から開口部に向けて飛翔する虫を、開口部の手前にある発光部に強く誘引することができる。また、例えば当該誘虫装置を側壁の極近くに設置した場合には、発光部から放射された光が側壁の外壁面で反射され、その反射光により虫が誘引されるといった不都合が発生するが、誘虫装置を側壁から所定間隔を隔てた位置に設置し、かつ、発行部から放射される光が側面視で略真上に進行するように構成することによって、放射光が側壁に当たらないので、上記のような不都合の発生を防ぐことができる。さらに、発光部から放射される光が側面視で略真上に進行するように構成したので、建物と反対方向への光の放射が抑えられ、当該誘虫装置が発する光により虫が遠方から不用意に誘引されるのを抑えることができる。これらのことから、発光部から放射された光がバリアのように機能することによって、開口部を通って屋内に侵入する虫の数を大幅に減らすことができる。
【００１１】
また、請求項１の発明によれば、発光部を地面近傍に設けることによって、発光部に誘引された虫を、地面近傍を旋回飛翔させて最終的に地面に着陸させることができるので、虫が屋内に侵入する確率を低減することができる。これは、一度地面に着陸した虫が、再度飛翔し難くなるという虫の特有の性質を利用したものである。
【００１２】
請求項２の発明によれば、発光部に向けて飛翔する虫を捕獲部で捕獲することができるので、屋内に侵入する虫の数をさらに減らすことができる。
【００１３】
請求項３の発明によれば、ルーバを用いることで、容易に、光源から放射される光を調整して略真上に進行させることができる。
【００１４】
請求項４の発明によれば、発光部から放射された光が側壁の外壁面で反射され、その反射光により虫が誘引されるといった不都合の発生を確実に防ぐことができる。
【００１５】
請求項５の発明によれば、第１の誘虫装置を回避する経路で開口部まで到達した虫を、第２の誘虫装置に誘引することができるので、第２の誘虫装置を開口部近傍の屋外側に設置した場合には、虫が開口部を通って屋内に侵入するのを確実に防ぐことができるとともに、第２の誘虫装置を開口部近傍の屋内側に設置した場合には、虫が屋内深部に入り込むのを防ぐことができる。
【発明を実施するための最良の形態】
【００１６】
以下、本発明の実施形態を図面に基づいて説明する。
【００１７】
図１は、本発明の第１実施形態による誘虫装置を備えた誘虫システムの全体構成を示した概略側面図であり、図２は、図１に示した誘虫システムの概略正面図である。また、図３および図４は、第１実施形態による誘虫装置の斜視図および断面図である。また、図５は、図１に示した誘虫システムにより誘引される虫の飛翔経路を示した概略側面図である。まず、図１および図２を参照して、誘虫システムおよび当該システムが導入される建物の構成について説明する。
【００１８】
この誘虫システムは、図１に示すように、誘虫効果のある光を放射可能な２つの誘虫装置１Ａ，１Ｂを具備しており、倉庫等の建物３０内へ侵入する虫の数を減らすために設けられるものである。なお、誘虫装置１Ａは、本発明の「第１の誘虫装置」であり、誘虫装置１Ｂは、本発明の「第２の誘虫装置」である。
【００１９】
建物３０は、前壁（正面の側壁）３１、後壁３２、左右壁３３、天井３４および床３５により構成される外枠部分と、建物３０内部を前後に２分割する仕切壁３６とを備えている。前壁３１には、搬入口等の比較的大きな出入口（開口部）３１ａが設けられており、仕切壁３６にも、上記出入口３１ａと略同形状の出入口（開口部）３６ａが設けられている。そして、当該建物３０では、前壁３１と仕切壁３６とに挟まれる領域が風除室Ｒ１となっており、仕切壁３６と後壁３２とに挟まれる領域が奥部屋Ｒ２となっている。つまり、奥部屋Ｒ２と建物３０の外部との間に、風除室Ｒ１が設けられている。そして、風除室Ｒ１および奥部屋Ｒ２の天井３４には、それぞれ、照明器具３７が取り付けられている。
【００２０】
このような建物３０では、荷物の搬入・搬出が頻繁に行われることから、出入口３１ａが長時間に亘って開放状態となることがある。さらに、建物３０内には、内部照明として複数の照明器具３７が設けられているため、これらの照明器具３７から放射される光に屋外の虫Ｉ（図５参照）が誘引され、当該虫Ｉが出入口３１ａを通って屋内に侵入してくることがある。
【００２１】
前記誘虫装置１Ａは、建物３０の前壁３１から前方（手前方向）に所定間隔を隔てた位置で地面Ｇに埋設されている（地中埋込型）。このように誘虫装置１Ａを地中埋込型とすることによって、当該装置が通行等の邪魔にならない。この誘虫装置１Ａは、遠方（特に前方向の遠方）から出入口３１ａに向けて飛翔してきた虫Ｉを出入口３１ａの前方位置において誘引し捕獲するために設けられている。
【００２２】
そして、誘虫装置１Ａから放射された光は、図１に示すように、側面視で略真上に進行している。具体的には、上記放射光の前端部Ｌ１が僅かに前方に傾斜するとともに、放射光の後端部Ｌ２が僅かに後方に傾斜するような角度θ１で上方に向けて放射されている。なお、放射光は、当該放射光の後端部Ｌ２´が建物３０の前壁３１にかからないような角度θ２で上方に放射されていてもよい。
【００２３】
また、誘虫装置１Ａからの放射光は、図２（ａ）に示すように、正面視で出入口３１ａを覆う扇形状に進行している。具体的には、上記放射光の左右両端部Ｌ３が出入口３１ａの下方となるような角度θ３で上方に放射されている。
【００２４】
前記誘虫装置１Ｂは、建物３０の内側、具体的には風除室Ｒ１内の出入口３１ａ付近で床３５に埋設されている。この誘虫装置１Ｂは、出入口３１ａを通って風除室Ｒ１に侵入した虫を誘引し捕獲することによって、前記虫の奥部屋Ｒ２への侵入を確実に防ぐために設けられている。
【００２５】
誘虫装置１Ｂから放射された光は、図１に示すように、側面視で略真上に進行している。具体的には、上記放射光の前端部Ｌ１が僅かに前方に傾斜するとともに、放射光の後端部Ｌ２が僅かに後方に傾斜するような角度θ４で上方に向けて放射されている。なお、放射光は、当該放射光の前端部Ｌ１´が出入口３１ａの上縁の直上方に当たるとともに、当該放射光の後端部Ｌ２´が建物３０の仕切壁３６に当たらないような角度θ５で放射されていてもよい。このようにすれば、誘虫装置１Ｂからの放射光が建物３０の外部に漏れることがない。また、前記放射光が仕切壁３６に当たって反射されることで外部に漏れることがない。
【００２６】
また、誘虫装置１Ｂからの放射光は、図２（ｂ）に示すように、正面視で仕切壁３６の出入口３６ａを覆う扇形状に進行している。具体的には、上記放射光の左右両端部Ｌ４が出入口３６ａの下縁付近に位置するような角度θ６で上方に放射されている。
【００２７】
以下、図３および図４を参照して誘虫装置１Ａの具体的な構成について述べる。なお、誘虫装置１Ｂの構成は、誘虫装置１Ａとほぼ同様であるので、その説明を省略する。
【００２８】
誘虫装置１Ａは、図３および図４に示すように、外枠としてのフレーム２と、このフレーム２内に収容される直管ランプ３、３つのルーバ４、粘着シート５（図４参照）、防護ケース６および電源ボックス７（図４参照）とを備えている。なお、直管ランプ３は、本発明の「光源」に相当し、粘着シート５は、本発明の「捕獲部」に相当している。また、直管ランプ３と３つのルーバ４とにより、本発明の「発光部」が構成されている。
【００２９】
フレーム２は、前面部２１、後面部２２、左右両側面部２３、上面部２４および下面部２５からなる箱型に構成されている。上面部２４は、その上面が地面Ｇと略面一となっており、中央に開口２４ａを有している。この開口２４ａは、直管ランプ３からの光を通過させるため、そして当該光に誘引された虫を通過させてフレーム２内に導くために設けられている。なお、フレーム２の内面には、フレーム２内での光の不必要な乱反射を抑えるための黒色塗装が施されている。
【００３０】
直管ランプ３は、誘虫効果のある光を放射可能であり、当該誘虫装置１Ａと対向する前壁３１に沿う方向（左右方向）に延びる姿勢で、フレーム２内の上部前方位置に配されている。
【００３１】
ルーバ４は、それぞれ、平板状を呈しており、直管ランプ３の上方に該直管ランプ３と平行に延びる姿勢で配されている。また、本実施形態では、３つのルーバ４が、前後に所定間隔を隔てて並列配置されている。これらのルーバ４は、直管ランプ３から放射された光の拡がり具合を積極的に調整する機能を有している。具体的には、直管ランプ３から放射された光をルーバ４で遮ることによって、当該光の前端部Ｌ１が僅かに前方に傾斜するとともに後端部Ｌ２が僅かに後方に傾斜するように、前記ルーバ４が位置決めされて配設されている。また、ルーバ４は、直管ランプ３を保護する機能も有している。
【００３２】
粘着シート５は、直管ランプ３近傍を飛翔する虫を捕獲するために設けられており、フレーム２内の上部後方位置に配設されている。この粘着シート５は、その上部が下部よりも僅かに前方に位置するように傾斜して配されており、雨や埃が粘着面に付着し難いようになっている。また、粘着シート５は、虫等の付着により捕獲力が低下した際には、容易に新品に交換可能となっている。
【００３３】
防護ケース６は、直管ランプ３の周囲を取り囲むように配されており、直管ランプ３を上方の開口２４ａから入ってくる虫や異物から保護するための機能を有している。
【００３４】
このように構成された誘虫装置１Ａ，１Ｂからなる誘虫システムによれば、図５に示すように、前方向の遠方から出入口３１ａに向けて飛翔してきた虫Ｉは、出入口３１ａの前方に設置された誘虫装置１Ａの放射光エリアに入ると、誘虫装置１Ａからの放射光に強く誘引され、その飛行進路を変更して誘虫装置１Ａに向けて飛翔する（図５の点線参照）。そして、誘虫装置１Ａの周辺を旋回飛翔しつつ、該誘虫装置１Ａに捕獲される。
【００３５】
なお、上記誘虫装置１Ａからの放射光を回避する経路で出入口３１ａまで飛翔してきた虫や、誘虫装置１Ａから放射される光を見過ごして出入口３１ａまで飛翔してきた虫は、出入口３１ａを通って風除室Ｒ１内に侵入することになる。しかしながら、上記虫が、侵入直後に床３５に設置された誘虫装置１Ｂの放射光エリアに入ると、誘虫装置１Ｂからの放射光に強く誘引され、その飛行進路を変更して誘虫装置１Ｂに向けて飛翔する（図５の二点鎖線参照）。そして、誘虫装置１Ｂの周辺を旋回飛翔しつつ、該誘虫装置１Ｂに捕獲される。
【００３６】
第１実施形態では、上記のように、出入口３１ａの前方に設けた誘虫装置１Ａの発光部から放射される光が、正面視（図２（ａ）参照）で出入口３１ａを覆う扇形状に進行するように構成したので、遠方から出入口３１ａに向けて飛翔する虫Ｉを、出入口３１ａの前方にある誘虫装置１Ａの直管ランプ３に強く誘引することができる。また、例えば当該誘虫装置１Ａを前壁３１の極近くに設置した場合には、直管ランプ３から放射された光が前壁３１の外壁面で反射され、その反射光により虫が誘引されるといった不都合が発生するが、誘虫装置１Ａを前壁３１から所定間隔を隔てた位置に設置し、かつ、直管ランプ３から放射される光が側面視（図１参照）で略真上に進行するように３つのルーバ４により調整することによって、放射光が前壁３１に当たらないので、上記のような不都合の発生を防ぐことができる。さらに、直管ランプ３から放射される光が側面視で略真上に進行するように３つのルーバ４により調整したので、前方への光の放射が抑えられ、当該誘虫装置１Ａが発する光により虫が遠方から不用意に誘引されるのを抑えることができる。これらのことから、発光部から放射された光がバリアのように機能することによって、出入口３１ａを通って屋内に侵入する虫の数を大幅に減らすことができる。
【００３７】
また、第１実施形態では、上記のように、誘虫装置１Ａの発光部を地面Ｇ近傍に設けることによって、当該誘虫装置１Ａの発光部に誘引された虫を、地面Ｇ近傍を旋回飛翔させて最終的に地面Ｇに着陸させることができるので、虫Ｉが屋内に侵入する確率を低減することができる。これは、一度地面に着陸した虫が、再度飛翔し難くなるという虫の特有の性質を利用したものである。
【００３８】
また、第１実施形態では、上記のように、フレーム２内に粘着シート５を設けることによって、出入口３１ａに向けて飛翔する虫を粘着シート５で捕獲することができるので、屋内に侵入する虫の数をさらに減らすことができる。
【００３９】
また、第１実施形態では、上記のように、ルーバ４を用いることで、容易に、直管ランプ３から放射される光を、正面視で出入口３１ａを覆う扇形状に、かつ側面視で略真上に進行させることができる。
【００４０】
また、第１実施形態では、上記のように、誘虫装置１Ｂを出入口３１ａ近傍の屋内側に設置することによって、誘虫装置１Ａを回避する経路で出入口３１ａまで到達した虫を、誘虫装置１Ｂに誘引することができるので、虫が奥部屋Ｒ２に入り込むのを防ぐことができる。なお、誘虫装置１Ｂを出入口３１ａ近傍の屋外側に設置した場合には、虫が出入口３１ａを通って風除室Ｒ１に侵入するのをより確実に防ぐことができる。
【００４１】
図６は、第２実施形態による誘虫装置の内部構成を示した断面図である。第２実施形態の誘虫装置１０１では、図６に示すように、フレーム２の上面に強化ガラス８が嵌め込まれており、フレーム２内が略密閉空間となっている。このため、地面Ｇに埋め込まれた当該誘虫装置１０１に上方から荷重が加わったとしても、装置が損傷することがない。また、フレーム２の上面が閉鎖されているので、フレーム２内に異物が入り込むことがない。
【００４２】
図７は、第３実施形態による誘虫装置の内部構成を示した断面図である。第３実施形態の誘虫装置１０２では、上記第２実施形態と同様、フレーム２の上面に強化ガラス８が嵌め込まれている。そして、この誘虫装置１０２は、図７に示すように、直管ランプに代えてＬＥＤ１０を備えている。つまり、フレーム２内には、基板９と、この基板９に接続されたＬＥＤ１０と、ＬＥＤ１０から発射された光を略真上に進行させるように調整するレンズ体１１とが配設されている。なお、ＬＥＤ１０は、本発明の「光源」に相当し、ＬＥＤ１０とレンズ体１１とにより、本発明の「発光部」が構成されている。
【００４３】
このように構成すれば、発光部から放射される光に強い指向性を持たせることができるので、当該誘虫装置１０２を前壁３１の極近くに配置したとしても、放射光が前壁３１に当たって反射されることがない。また、当該誘虫装置１０２の構成を簡素化・コンパクト化することができる。
【００４４】
図８は、第４実施形態による誘虫装置の内部構成を示した断面図である。第４実施形態の誘虫装置１０３は、図８に示すように、上記第１〜第３実施形態と異なり、地面Ｇ上に載置されている（地上設置型）。このような地上設置型の誘虫装置１０３によれば、容易に施工やメンテナンスを行うことができる。また、フレーム２内の底部には、水が張られた水盤（捕獲部）１２が配設されており、直管ランプ３に誘引された虫が水盤１２内に落ち込むようになっている。このようにすれば、水盤１２内の水を定期的に交換するだけで、捕虫力を維持することができるので、経済的である。
【００４５】
なお、水盤１２内の水に界面活性剤を添加して、落下した虫を水没させるようにしてもよい。
【００４６】
図９は、第５実施形態による誘虫装置の内部構成を示した断面図である。第５実施形態の誘虫装置１０４は、第４実施形態と同様、地面Ｇ上に載置された地上設置型である。この誘虫装置１０４では、フレーム２の後面部２２に開口２２ａが形成されており、フレーム２から後方にむけて光が放射されるようになっている。そして、後方に放射された光を、フレーム２の近傍に傾斜して配設した反射板１３によって略真上に反射させている。なお、図９では略式で図示しているが、反射板１３は、詳細には、左右方向（紙面と直交方向）の中央部が上方に突出した山形形状を呈しており、これによって反射光が正面視で扇形状に拡がるように反射されるようになっている。
【００４７】
また、第５実施形態では、誘虫装置１０４を、光の放射方向が後方となる姿勢で地面Ｇ上に設置しているが、これに限らず、例えば、誘虫装置１０４をその開口部２２ａが左（右）方を向く姿勢で地面Ｇ上に設置してもよい。この場合、誘虫装置１０４を、出入口３１ａへと延びる通路の側端に設置することができるので、通行の邪魔にならない。
【００４８】
また、上記第５実施形態の変形例として、図１０に示すように、建物の出入口へと延びる通路Ｔ上に、建物側へ下るように傾斜する反射板１４を設置し、この反射板１４によって誘虫装置１０４からの放射光を建物側の上方に反射する構成を挙げることができる。
【００４９】
また、上記実施形態では、本発明の「誘虫装置」を、倉庫等の建物に導入される誘虫システムを構成する誘虫装置に適用する例について示したが、これに限らず、倉庫以外の店舗や家屋に導入される誘虫システムの誘虫装置にも適用可能である。
【００５０】
また、本発明の「捕獲部」として、上記粘着シート５や水盤１３以外の、例えば電撃式や吸引式のものを用いてもよい。
【図面の簡単な説明】
【００５１】
【図１】本発明の第１実施形態による誘虫装置を備えた誘虫システムの全体構成を示した概略側面図である。
【図２】図１に示した誘虫システムの概略正面図であり、（ａ）は屋外側の誘虫装置の正面図であり、（ｂ）は屋内側の誘虫装置の正面図である。
【図３】第１実施形態による誘虫装置の斜視図である。
【図４】第１実施形態による誘虫装置の断面図である。
【図５】図１に示した誘虫システムにより誘引される虫の飛翔経路を示した概略側面図である。
【図６】本発明の第２実施形態による誘虫装置の断面図である。
【図７】本発明の第３実施形態による誘虫装置の断面図である。
【図８】本発明の第４実施形態による誘虫装置の断面図である。
【図９】本発明の第５実施形態による誘虫装置の断面図である。
【図１０】第５実施形態の変形例による誘虫装置の斜視図である。
【符号の説明】
【００５２】
１Ａ  誘虫装置（第１の誘虫装置）
１Ｂ  誘虫装置（第２の誘虫装置）
１０１，１０２，１０３，１０４  誘虫装置（第１の誘虫装置、第２の誘虫装置）
３  直管ランプ（光源、発光部）
４  ルーバ（発光部）
５  粘着シート（捕獲部）
１０  ＬＥＤ（光源、発光部）
１１  レンズ体（発光部）
３０  建物
３１  前壁（正面の側壁）
３１ａ  出入口（開口部）
３６  仕切壁
３６ａ  出入口（開口部）
Ｇ  地面
【図１】
2008167667.tif 000003
【図２】
2008167667.tif 000004
【図３】
2008167667.tif 000005
【図４】
2008167667.tif 000006
【図５】
2008167667.tif 000007
【図６】
2008167667.tif 000008
【図７】
2008167667.tif 000009
【図８】
2008167667.tif 000010
【図９】
2008167667.tif 000011
【図１０】
2008167667.tif 000012